(57)【特許請求の範囲】
【請求項１】
建物の床を構成するために用いられる床パネルであって、
床構造材と、前記床構造材の上側に配された床仕上下地材とを含み、
前記床仕上下地材は、その少なくとも一部に、振動吸収体を介して、前記床構造材に、上下方向及び水平方向に移動可能に支持された可動部と、前記床構造材に移動不能に固着された固定部とを含み、
前記固定部は、前記可動部とは隙間を隔てて設けられていることを特徴とする床パネル。
【請求項２】
前記固定部は、前記可動部の四周に設けられている請求項１記載の床パネル。
【請求項３】
前記振動吸収体は、第１吸収体と第２吸収体とを含み、
前記第１吸収体は、前記可動部に作用する第１の垂直荷重範囲で前記可動部を支持するとともに、
前記第２吸収体は、前記第１の垂直荷重範囲よりも大きい第２の垂直荷重範囲となったときに、前記第１吸収体とともに前記可動部を支持する請求項１又は２に記載の床パネル。
【請求項４】
前記可動部に垂直荷重が作用していない状態において、前記第２吸収体の上面は、前記可動部から離間しかつ前記第１吸収体の上面よりも下方に位置している請求項３記載の床パネル。
【請求項５】
前記第１吸収体は、前記可動部の外周側に設けられ、
前記第２吸収体は、前記第１吸収体よりも前記可動部の内周側に設けられ、
前記第２の垂直荷重範囲において、前記第１吸収体は、前記第２吸収体よりも大きな垂直反力を生じさせる請求項３又は４に記載の床パネル。
【発明の詳細な説明】
【技術分野】
【０００１】
本発明は、例えば、洗濯機や食洗機の下に配置され、それらの振動を効果的に抑制しうる床パネルに関する。
【背景技術】
【０００２】
工業化住宅では、床材として、工場で予め製造された床パネルが用いられている。床パネルは、例えば、規格化された寸法で平面視略矩形状をなし、大引き等の水平材の上に敷き詰められて連続した床を構成する。一般的な床パネルは、平行に配された複数本の根太と、その上に配された板状の床下地材とを含んでいる（例えば、下記特許文献１参照）。
【０００３】
しかしながら、上述のような床パネルは、その上に置かれた振動体、例えば、洗濯機や食洗機等の振動を十分に吸収することができない。このため、洗面室に配された洗濯機の振動は、床パネルを介して、リビングや１階の寝室にまで伝播するおそれがある。特に、近年では、洗濯機や食洗機等が、安価な深夜電力を使用して稼動されることがあるため、床パネル自体に十分な振動を吸収する性能を有することが強く望まれている。
【先行技術文献】
【特許文献】
【０００４】
【特許文献１】特開２０１４−７０４２０号公報
【発明の概要】
【発明が解決しようとする課題】
【０００５】
本発明は、以上のような問題点に鑑み、案出されたもので、振動吸収性能が優れた床パネルを提供することを主たる目的としている。
【課題を解決するための手段】
【０００６】
本発明は、建物の床を構成するために用いられる床パネルであって、床構造材と、前記床構造材の上側に配された床仕上下地材とを含み、前記床仕上下地材は、その少なくとも一部に、振動吸収体を介して、前記床構造材に、上下方向及び水平方向に移動可能に支持された可動部と、前記床構造材に移動不能に固着された固定部とを含み、前記固定部は、前記可動部とは隙間を隔てて設けられていることを特徴としている。
【０００７】
本発明の床パネルにおいて、前記固定部は、前記可動部の四周に設けられているのが望ましい。
【０００８】
本発明の床パネルにおいて、前記振動吸収体は、第１吸収体と第２吸収体とを含み、前記第１吸収体は、前記可動部に作用する第１の垂直荷重範囲で前記可動部を支持するとともに、前記第２吸収体は、前記第１の垂直荷重範囲よりも大きい第２の垂直荷重範囲となったときに、前記第１吸収体とともに前記可動部を支持するのが望ましい。
【０００９】
本発明の床パネルにおいて、前記可動部に垂直荷重が作用していない状態において、前記第２吸収体の上面は、前記可動部から離間しかつ前記第１吸収体の上面よりも下方に位置しているのが望ましい。
【００１０】
本発明の床パネルにおいて、前記第１吸収体は、前記可動部の外周側に設けられ、前記第２吸収体は、前記第１吸収体よりも前記可動部の内周側に設けられ、前記第２の垂直荷重範囲において、前記第１吸収体は、前記第２吸収体よりも大きな垂直反力を生じさせるのが望ましい。
【発明の効果】
【００１１】
本発明の床パネルは、床仕上下地材の少なくとも一部に、振動吸収体を介して、床構造材に、上下方向及び水平方向に移動可能に支持された可動部を含んでいる。このような床パネルは、可動部の振動が、振動吸収体で吸収されるため、床構造材への振動の伝達が低減される。従って、例えば、可動部の上に、洗濯機や食洗機等の振動体を置くことにより、これらの振動が効果的に吸収され、寝室やリビングへの振動の伝達が緩和される。
【図面の簡単な説明】
【００１２】
【図１】本実施形態の床パネルを用いた建物の床の部分斜視図である。
【図２】図１の床パネルの分解斜視図である。
【図３】図２のＡ−Ａ線端面図である。
【図４】図３の部分拡大図である。
【図５】（ａ）は、本発明の他の実施形態の床パネルの平面図、（ｂ）は、（ａ）のＢ−Ｂ線端面図である。
【図６】（ａ）及び（ｂ）は、図５の床パネルの可動部に荷重が作用したときの断面図である。
【図７】（ａ）は、本発明のさらに他の実施形態の床パネルの平面図、（ｂ）は、（ａ）のＣ−Ｃ線端面図である。
【発明を実施するための形態】
【００１３】
以下、本発明の実施の一形態が図面に基づき説明される。
図１には、建物の床Ｆの部分斜視図が示されている。床Ｆは、例えば、複数の床パネル１、１０１、１０２…から形成されている。各床パネル１、１０１、１０２…は、例えば、大引きａ等の水平材の上に並べられることにより、連続する床面を構成している。本実施形態の床パネル１は、例えば、住宅の床として好適に用いられ、とりわけ、洗濯機や食洗機等の振動体ｂを置くための床パネルとして好適に実施され得る。なお、他の床パネル１０１、１０２は、既存の床パネルであり、従来と同様の構成を具えている。
【００１４】
本実施形態の床パネル１は、例えば、平面視略矩形状のパネル体で、予め工場等で作られるのが望ましい。床パネル１は、例えば、他の既存の床パネル１０１、１０２等と併用可能なように、その寸法が定められるのが望ましい。本実施形態の床パネル１は、正方形状とされているが、このような形状に限定されるものではない。
【００１５】
図２には、床パネル１の分解斜視図が示されている。図３には、そのＡ−Ａ線端面図が示されている。図２及び図３に示されるように、床パネル１は、床構造材２と、その上に配された床仕上下地材３とを含んでいる。
【００１６】
床構造材２は、例えば、合板等からなる底板５と、底板５の上面かつその周囲に固着された枠材６とを含んでいる。
【００１７】
底板５は、例えば、床パネル１の外形寸法と等しい矩形状とされている。枠材６は、例えば、木質系の角材からなり、底板５の上面かつ外周部に固着されている。本実施形態では、底板５の各辺に、平行に枠材６、６が配置されている。これにより、床構造材２には、枠材６で囲まれた平面視矩形状の凹部１１が形成される。床構造材２は、床材として求められる曲げ剛性やねじり剛性を発揮しうるように、各部材の厚さや材料が選定され得る。但し、床構造材２の具体的な仕様は、このような実施形態に限定されるものでは無い。
【００１８】
床仕上下地材３は、床面の下地を形成するもので、その上面には、例えば、フローリング材や樹脂カーペット等の床仕上げ材（図示省略）が貼り付けられる。
【００１９】
床仕上下地材３は、その少なくとも一部に、振動吸収体９を介して、床構造材２に、上下方向及び水平方向に移動可能に支持された可動部８を有している。好ましい態様として、本実施形態の床仕上下地材３は、可動部８と、床構造材２に対して移動不能に固着された固定部７とを含んでいる。本実施形態の固定部７は、床構造材２の枠材６の上面にビスや接着剤等で固着されている。
【００２０】
可動部８は、例えば、平面視略矩形状の合板からなり、床構造材２の前記凹部１１に配されている。可動部８と床構造材２との間には、振動吸収体９が配されている。これにより、可動部８は、上下方向において、床構造材２の底板５と、直接接触することなく配されている。同様に、可動部８は、水平方向において、床構造材２の枠材６と、直接接触することなく配されている。
【００２１】
図４には、図３の部分拡大図が示されている。図４に示されるように、振動吸収体９は、例えば、塊状のゴム状弾性体を含み、床構造材２に固着されている。振動吸収体９は、凹部１１内かつ底板５の上面に固着されている。振動吸収体９は、例えば、ビス１８で底板５に固着されている。ビスに代えて、接着剤が用いられても良い。同様に、振動吸収体９と可動部８との間は、例えば、接着剤等を用いて固着されている。
【００２２】
図３に示されるように、本実施形態では、複数個の振動吸収体９が設けられているが、このような態様に限定されるものではない。また、振動吸収体９としては、ゴム状弾性体に限定されるものではなく、例えば、樹脂、エラストマー、ばね材又はこれらの複合体など、振動エネルギーを熱エネルギーに変換しうるものであれば種々のものが採用され得る。
【００２３】
以上のように構成された床パネル１は、洗濯機や食洗機といった振動体ｂが発生する振動を他のパネルに伝えないような防振性パネルとして用いられる。即ち、好ましい実施形態では、可動部８の上に、振動体ｂが置かれる。振動体ｂが生じる振動は、可動部８に伝えられる。可動部８は、床構造材２に対して、上下方向及び水平方向に移動可能に支持されているので、可動部８の振動の一部は、振動吸収体９の圧縮乃至せん断変形時に熱エネルギーに変換されて吸収されるとともに、床構造材２への振動の伝達が低減される。従って、本実施形態の床パネル１は、振動体ｂの振動の伝播（固定伝播音）を抑制し、寝室やリビングへの振動の伝達が緩和される。
【００２４】
上述の効果をより効果的に発揮させるために、振動吸収体９は、可動部８の外周側（可動部８が矩形状の場合には、図２に示されるように、本実施形態のように各コーナ部）に設けられているのが望ましい。
【００２５】
可動部８は、固定部７と可動部８との間の隙間の範囲で水平方向に移動することができる。従って、上記隙間の水平方向の距離ｄ１を規制することによって、可動部８の運動量を調節することができる。これは、例えば、可動部８が、床パネル１の搬送時の振動等によって損傷するのを効果的に防止するのに役立つ。前記隙間の距離ｄ１は、対象となる振動体ｂに応じて適宜定めうるが、例えば、５〜１５mm程度が望ましい。
【００２６】
さらに、固定部７と可動部８との隙間からの異物の進入を防止するために、前記隙間には、可動部８の変位に追従して弾性変形可能なパッキン１０が装着されるのが望ましい。
【００２７】
上記実施形態では、床仕上下地材３は、固定部７と可動部８とで構成されているが、本発明の他の実施形態では、床仕上下地材３は、全てが可動部８で形成され得る。これにより、可動部８の面積が大きくなり、例えば、より大型の洗濯機等もその上に置くことができる。
【００２８】
図５には、本発明の他の実施形態の床パネル１が示され、（ａ）はその平面図、（ｂ）は（ａ）のＢ−Ｂ線端面図である。この実施形態で特に説明されていない要素については、先の実施形態の記述がそのまま適用され得る。また、関連ないし共通する要素については、先の実施形態と同じ参照符号が付されている。図５に示されるように、この実施形態の床パネル１は、振動吸収体９として、第１吸収体１５と第２吸収体１６とを含んでいる。
【００２９】
第１吸収体１５は、可動部８に作用する第１の垂直荷重範囲で可動部８を支持する。一方、第２吸収体１６は、第１の垂直荷重範囲よりも大きい第２の垂直荷重範囲となったときに、第１吸収体１５とともに可動部８を支持することができる。
【００３０】
振動体ｂが洗濯機である場合、その重量は、例えば、洗濯機が大型の場合と小型の場合、あるいは洗濯物量が多い場合と少ない場合との間で大きく変化する。振動エネルギーは、振動体の質量に比例するので、振動体の重量が増加した場合には、それに応じて振動吸収効果を高めることが望ましい。この実施形態では、可動部８に作用する荷重が小さい場合（第１の垂直荷重範囲）、第１吸収体１５が振動を吸収する一方、可動部８に作用する荷重が大きい場合（第２の垂直荷重範囲）、第１吸収体１５及び第２吸収体１６の双方で振動を吸収することができる。これにより、可動部８への作用荷重の増加に応じて、振動吸収性能も高めることができる。
【００３１】
このような作用は、種々の方法を用いて実現可能である。図５にはその一例が示されている。この実施形態では、可動部８の下面が実質的に水平であり、可動部８に何も載せられていない状態において、第１吸収体１５の上面は、第２吸収体１６の上面よりも高く位置している。第１吸収体１５の上面は可動部８の下面と固着されている一方、第２吸収体１６の上面は、第１吸収体１５の上面よりも下方に位置している。これにより、第２吸収体１６は、可動部８の下面とは離間している。
【００３２】
図６（ａ）には、可動部８に、第１の垂直荷重範囲の負荷が与えられたときの床パネルの断面図を示している。図６（ａ）に示されるように、第１の垂直荷重範囲では、第１吸収体１５が圧縮変形しても、第２吸収体１６の上面は、可動部８から離間している。
【００３３】
図６（ｂ）には、可動部８に、第２の垂直荷重範囲の負荷が与えられたときの床パネルの断面図を示している。図６（ｂ）に示されるように、第２の垂直荷重範囲では、第１吸収体１５がさらに圧縮され、第２吸収体１６と可動部８とが接触する。これにより、可動部８は、第１吸収体１５及び第２吸収体１６の双方で支持され、より適切な振動吸収効果が得られる。
【００３４】
第１吸収体１５は、本実施形態のように、第２吸収体１６よりも可動部８の外周側に設けられているのが望ましい。この実施形態では、第１吸収体１５は、第２吸収体１６よりも大きく圧縮変形するため、第２吸収体１６よりも大きな垂直反力を生じることができる。これは、可動部８の水平軸周りの回転モーメントをより効果的に抑え、振動体ｂの振れを抑えるのに役立つ。
【００３５】
本実施形態では、第１吸収体１５と第２吸収体１６とに同じ振動吸収体が採用されている。これにより、床パネル１の生産性や、振動吸収体交換時のメンテナンス性が高められる。第１吸収体１５及び第２吸収体１６は、必要に応じて、互いに異なる振動吸収体が用いられても良い。
【００３６】
一方、床構造材２の凹部１１の底面１２は、第１吸収体１５が固着されている第１底面１３と、第２吸収体１６が固着されかつ第１底面１３よりも低所に位置する第２底面１４とを含んでいる。これにより、第１吸収体１５の上面は、第２吸収体１６の上面よりも高く位置することができる。
【００３７】
他の実施形態として、第１吸収体１５及び第２吸収体１６に、それぞれ配合や厚さが異なるものが採用されても良い。さらに他の実施形態として、可動部８の下面を非平坦に形成し、第１の垂直荷重範囲で可動部８と第１吸収体１５のみが接触し、第２の垂直荷重範囲で、可動部８に、第１吸収体１５及び第２吸収体１６の両者が接触するように構成されても良い。これらは、種々組み合わせて、採用され得る。
【００３８】
図７には、本発明のさらに他の実施形態の床パネル１が示され、（ａ）はその平面図、（ｂ）は（ａ）のＣ−Ｃ線端面図である。この実施形態で特に説明されていない要素については、先の実施形態の記述がそのまま適用され得る。また、関連ないし共通する要素については、先の実施形態と同じ参照符号が付されている。
【００３９】
図７に示されるように、この実施形態の床パネル１は、振動吸収体９（第１吸収体１５及び第２吸収体１６）が、環状に連続している。このような実施形態では、より広範囲に可動部８を支持し、大きな振動エネルギーを効果的に吸収することができる。
【００４０】
以上、本発明の特に好ましい実施形態について詳述したが、本発明は図示の実施形態に限定されることなく、種々の態様に変形して実施しうる。
【符号の説明】
【００４１】
１  床パネル
２  床構造材
３  床仕上下地材
７  固定部
８  可動部
９  振動吸収体
【図１】
0006467161.tif 000002
【図２】
0006467161.tif 000003
【図３】
0006467161.tif 000004
【図４】
0006467161.tif 000005
【図５】
0006467161.tif 000006
【図６】
0006467161.tif 000007
【図７】
0006467161.tif 000008